(57)【特許請求の範囲】
【請求項１】
パチンコ機の下方に設置する膳台の上面に開設されてパチンコ島の玉貯溜部に連通する回収口と、膳台内部に設置されて前記回収口を開閉する膳台シャッタと、前記回収口を覆って膳台上に載置する玉箱の底板に開設した排出口に設置する玉箱シャッタを前記膳台シャッタに連動して開閉動作させる玉箱シャッタ開閉手段と、前記回収口から膳台内部に入った玉数を膳台内部に設置されて計数する計数手段とを備え、前記玉箱シャッタ開閉手段が、前記玉箱シャッタとの係合／分離動作を行う上下移動と、前記玉箱シャッタの開閉動作を行う水平移動と、を行うように形成されたことを特徴とするパチンコ玉計数装置。
【発明の詳細な説明】
【０００１】
【発明の属する技術分野】
本発明は、パチンコ店においてパチンコ遊技客が獲得したパチンコ玉を回収する際にその個数を計数する装置に係わるものであり、特に詳しくはパチンコ機それぞれの場所でパチンコ玉を回収するように構成するパチンコ島各部に設置するパチンコ玉計数装置に関する。
【０００２】
【従来の技術】
従来、この種の装置としては、例えば膳台の基部に設けたシャッタ部材によって開閉される開口と、玉箱の背面側側板の一部および底板の一部からなるスライド弁を上下して開閉するように下部後端に設ける接続開口とを連通し、玉箱の接続開口と膳台の開口とを通って玉箱から進入したパチンコ玉の個数を計数する装置が、特開平４−１７０９８５号公報に開示されている。
【０００３】
【発明が解決しようとする課題】
しかし、特開平４−１７０９８５号公報に提案された装置は、玉箱の下部後端に設けた接続開口を、側板の一部と底板の一部とからなるスライド弁を押し上げて開放し、回収する構成であるので、パチンコ玉で一杯になった玉箱の接続開口を開放するためには強い力が必要であり、装置が大型化したり、手動では開閉動作が困難であると云った問題点があった。
【０００４】
また、シャッタ部材によって開閉する膳台の開口が基部側に開設されており、玉箱はその手前に載置する構成であるため、膳台を通常の幅に形成すると必要な容量の玉箱が設置できないし、必要な容量の玉箱が設置できるように膳台の幅を拡げるとパチンコ機から遊技客が離れ過ぎて遊技に支障が出る、などと云った問題点もあり、これら問題点の解決が課題とされていた。
【０００５】
【課題を解決するための手段】
本発明は上記課題を解決すべく、パチンコ機の下方に設置する膳台の上面に開設されてパチンコ島の玉貯溜部に連通する回収口と、膳台内部に設置されて前記回収口を開閉する膳台シャッタと、前記回収口を覆って膳台上に載置する玉箱の底板に開設した排出口に設置する玉箱シャッタを前記膳台シャッタに連動して開閉動作させる玉箱シャッタ開閉手段と、前記回収口から膳台内部に入った玉数を膳台内部に設置されて計数する計数手段とを備え、前記玉箱シャッタ開閉手段が、前記玉箱シャッタとの係合／分離動作を行う上下移動と、前記玉箱シャッタの開閉動作を行う水平移動と、を行うように形成されたパチンコ玉計数装置を提供するものである。
【０００７】
【発明の実施の形態】
以下、図面に基づいて本発明の一実施形態を説明する。１は、横並びに配設する複数のパチンコ機３の下方に設置して、玉箱１００を載置するための中空の膳台であり、その天板５にはパチンコ島２００の図示しないパチンコ玉貯溜部に連通する回収口７を備えて形成する。なお、回収口７を開設する位置は、図示しない玉抜き穴を底面に備えて形成する下皿８の下方である。
【０００８】
この膳台１の回収口７は、水平方向に移動できるように膳台１の内部に設置する膳台シャッタ９によって開閉される。この膳台シャッタ９は、回収口７より大きく形成して回収口７を開閉する機能を持つ水平部１１と、この水平部１１の後端から下り傾斜に設けてパチンコ玉貯溜部にパチンコ玉９９を転走させる機能を持つ傾斜部１３とを備えて形成する。
【０００９】
また、膳台シャッタ９は、水平部１１の両側端部からそれぞれ組付用側版１５を垂設すると共に、各組付用側版１５の外面側下部の略中央部と後部側に摺動組付突起１７を設けて形成する。さらに、この組付用側版１５には、前端側の上部に丸穴１９を開設し、中央部分には長穴２１を上下方向に向けて開設する。
【００１０】
一方、天板５の、回収口７の両側からは、板状の膳台シャッタ取付部材２３を前後方向に向けて平行に２枚垂設し、対向する内側の面それぞれに水平摺動ガイド溝２５を略水平に設け、ここに膳台シャッタ９の組付用側版１５に設けた摺動組付突起１７を摺動自在に嵌め込んで、膳台シャッタ９を膳台シャッタ取付部材２３に組み付ける。なお、水平摺動ガイド溝２５は、膳台シャッタ９の水平部１１が膳台１の天板５の裏面に近接するようにレベル調節して形成する。
【００１１】
また、水平部１１の後端側には図に示したように細長い係合突起出没穴２７を開設し、この係合突起出没穴２７より前方の部位からレバー部材２９を膳台１より下方に突出するように垂設する。
【００１２】
そして、膳台シャッタ９の下側には、玉箱１００の後述する玉箱シャッタ７３を開閉する手段３１を配設する。この玉箱シャッタ開閉手段３１は、左右の両側板それぞれに摺動組付突起３３を備えて形成し、この左右に２個づつ設ける摺動組付突起３３を膳台シャッタ９の組付用側版１５に開設した丸穴１９と長穴２１とに内側から嵌め込み、丸穴１９に軸止された手前側の摺動組付突起３３を中心にして、後方の摺動組付突起３３側が長穴２１の範囲で上下に回動可能に組み付けると共に、各穴から突出する摺動組付突起３３の先端部を、手前側略３／４が水平で背面側略１／４が下り傾斜となるように膳台シャッタ取付部材２３に設ける屈曲摺動ガイド溝３５に摺動自在に嵌め込んで、膳台１にも組み付ける。
【００１３】
また、玉箱シャッタ開閉手段３１は、摺動組付突起３３の両方が屈曲摺動ガイド溝３５の水平部に位置しているときには膳台シャッタ９の係合突起出没穴２７を下から上に突き抜け、後方の摺動組付突起３３が屈曲摺動ガイド溝３５の傾斜部の最下部に位置しているときには係合突起出没穴２７の下に潜り込むことのできる係合突起３７を、平坦部の後方中央部先端に備えて形成すると共に、屈曲摺動ガイド溝３５を水平摺動ガイド溝２５の上方に形成する。そして、屈曲摺動ガイド溝３５は、長穴２１の上下幅に一致するようにその傾斜部を形成する。玉箱シャッタ開閉手段３１は、また、レバー部材２９の垂設に支障がないように、平坦部の中央部前方に切り欠き部を備えて形成する。
【００１４】
なお、膳台シャッタ９の水平部１１上に落下したパチンコ玉９９が、傾斜部１３を経由して膳台１の背面下方に設けるパチンコ玉貯溜部に確実に転走するように、例えば▲１▼水平摺動ガイド溝２５を手前側が高く奥側が低くなるように僅かに傾斜して設ける、▲２▼前後に離間して設置する摺動組付突起１７のレベルを調節するなどして、水平部１１もその上面は僅かに後傾して組み付ける。
【００１５】
したがって、膳台シャッタ９が膳台１の奥に位置しているときには、後方の摺動組付突起３３が手前の摺動組付突起３３より低くなるため、玉箱シャッタ開閉手段３１は後傾して後端の係合突起３７は係合突起出没穴２７の下に潜り込み、膳台シャッタ９を手前に引き出すと、後方の摺動組付突起３３が屈曲摺動ガイド溝３５の傾斜部に沿って上昇するので、玉箱シャッタ開閉手段３１の係合突起３７は次第に上昇して係合突起出没穴２７に下から入り込む。
【００１６】
そして、後方の摺動組付突起３３が屈曲摺動ガイド溝３５の水平部に至って、玉箱シャッタ開閉手段３１の平坦部と膳台シャッタ９の水平部１１下面とが平行になると、係合突起３７は係合突起出没穴２７から上方に突出し、摺動組付突起３３が屈曲摺動ガイド溝３５の手前側の水平部を摺動している間中、係合突起３７の先端は同一レベルを維持する。
【００１７】
また、パチンコ玉貯溜部に至る膳台１内部のパチンコ玉通路に、通過するパチンコ玉９９の個数を計数して表示することのできる、それ自体は従来周知の計数手段３９を設置する。この計数手段３９は、レバー部材２９を手前に引いたときに起動するように構成しても良いし、パチンコ玉９９が通過すると自動的に起動して計数するように構成することもできる。
【００１８】
一方、膳台１の、回収口７の手前側上面には、玉箱１００を固定するための固定突起４１を設置する。この固定突起４１には膳台１の前後方向に開口する玉箱固定穴４３を設ける。
【００１９】
次に、膳台１の上に載置する玉箱１００の一構成例を説明する。６１は、図示しないパチンコ玉９９を収納するための箱体であり、この箱体は上方に大きく開口したパチンコ玉９９の受入口を備えると共に、底板６３の中央部にはパチンコ玉９９の排出口６７を開設し、且つ、対向して短く形成する一対の側板の上端それぞれから、外側に延設する一対の把手６９を備えて形成する。
【００２０】
底板６３の上面は、短く形成する一対の側板と長く形成する一対の側板それぞれから中央部に向かって下り傾斜に設けてその中央部に前記の排出口６７を開設し、排出口６７が開放されていると、箱体６１内に収納したパチンコ玉９９が排出口６７から一つ残らず転がり出るように形成する。
【００２１】
また、排出口６７は、把手６９側の両サイドの底面６５より高く形成した中央部分の底板６３に開設し、その裏面に二本の棒状のシャッタガイド部材７１によって板状の玉箱シャッタ７３を摺動自在に支持して形成するシャッタ取付部材７５を、シャッタガイド部材７１と把手６９とが平行になるように、例えばねじ７７により固定して玉箱１００を形成する。
【００２２】
なお、玉箱シャッタ７３は、箱体６１の排出口６７より一回り大きく形成する本体部７３ａの中央部分の外面側に、玉箱シャッタ開閉手段３１の係合突起３７と係合して玉箱シャッタ７３を摺動させるための開閉用突起７３ｂを備えると共に、本体部７３ａから摺動方向の両側に板状の突出部７３ｃを延設して形成する。そして、この板状の突出部７３ｃは、膳台１に設ける固定突起４１の玉箱固定穴４３に進入し得る幅と厚さを備えると共に、玉箱固定穴４３に進入し易くするため先端の両コーナを面取りして形成する。
【００２３】
また、二本のシャッタガイド部材７１を平行に固定するシャッタ取付部材７５の枠体７９は、中央部分に箱体６１の排出口６７より広いシャッタ開口８１を開設し、玉箱シャッタ７３が摺動する側には突出部７３ｃが出没できる開口８３を開設して形成する。
【００２４】
そして、シャッタガイド部材７１の両固定端側にコイルスプリング８５を挿設して、玉箱シャッタ７３にコイルスプリング８５以外の外力が作用していないときには４個のコイルスプリング８５による応力がバランスして玉箱シャッタ７３が排出口６７の下にあって排出口６７を封止し、シャッタガイド部材７１の方向に沿った外力が玉箱シャッタ７３に作用したときには、玉箱シャッタ７３がシャッタガイド部材７１に沿う何れの方向にも摺動して排出口６７を開放するように、各部の寸法などを選定して形成する。
【００２５】
したがって、上記構成の玉箱１００を固定突起４１の背面側の膳台１上に載せて固定突起４１にぶつかるまで手前に引き、レバー部材２９を手前に引くと、膳台シャッタ９が水平摺動ガイド溝２５に沿って手前に摺動し、膳台１の回収口７が開口すると共に、玉箱シャッタ開閉手段３１の係合突起３７の先端が係合突起出没穴２７の上に突出して玉箱１００の開閉用突起７３ｂと係合し、玉箱シャッタ７３がシャッタガイド部材７１に沿って手前に摺動され、排出口６７が開口すると共に、突出部７３ｃが固定突起４１の玉箱固定穴４３に進入するので、玉箱１００は上下方向および左右方向にも固定される。
【００２６】
このため、上記のように玉箱１００を膳台１の上に固定し、開口した排出口６７・回収口７を通って玉箱１００から流入するパチンコ玉９９の個数を計数手段３９によって計数してパチンコ玉貯溜部に回収しているときに、玉箱１００に人がぶつかったり、地震が起きても、パチンコ玉９９を周囲に撒き散らす懸念がない。
【００２７】
なお、本発明は上記の実施形態に限定されるものではないので、特許請求の範囲に記載の趣旨から逸脱しない範囲で各種の変形実施が可能である。
【００２８】
例えば、レバー部材２９を操作して膳台シャッタ９を手前に引き出したとき、あるいは奥に押し込んだときなど、レバー部材２９に軽く触れただけではレバー部材２９、すなわち膳台シャッタ９・玉箱シャッタ開閉手段３１が移動しないように、磁石などからなる適宜の固定手段を設けるようにすることもできる。
【００２９】
【発明の効果】
以上説明したように本発明は、パチンコ機の下方に設置する膳台の上面に開設されてパチンコ島の玉貯溜部に連通する回収口と、膳台内部に設置されて前記回収口を開閉する膳台シャッタと、前記回収口を覆って膳台上に載置する玉箱の底板に開設した排出口に設置する玉箱シャッタを前記膳台シャッタに連動して開閉動作させる玉箱シャッタ開閉手段と、前記回収口から膳台内部に入った玉数を膳台内部に設置されて計数する計数手段とを備え、前記玉箱シャッタ開閉手段が、前記玉箱シャッタとの係合／分離動作を行う上下移動と、前記玉箱シャッタの開閉動作を行う水平移動と、を行うように形成されたパチンコ玉計数装置であるので、膳台上に載置した玉箱の排出口を膳台シャッタを操作するだけで開放し、玉箱に溜めたパチンコ玉を計数しながら回収することができる。
【００３０】
しかも、膳台の回収口を覆って玉箱を設置する構成であるので、回収口の手前に玉箱を設置する従来技術より、容量の大きい玉箱を膳台上に設置して遊技することができる。
【００３１】
また、玉箱シャッタ開閉手段が、玉箱シャッタとの係合／分離動作を行う上下移動と、玉箱シャッタの開閉動作を行う水平移動と、を行うようにしているため、玉箱の開閉動作に大きな力を要しないので、装置を大掛かりにする必要がないし、小さな力で簡単に行なえる。
【図面の簡単な説明】
【図１】一実施形態の説明図である。
【図２】一実施形態の分解説明図である。
【図３】玉箱の分解説明図である。
【図４】玉箱シャッタ開閉手段と玉箱シャッタとの係合時の説明図である。
【図５】膳台の回収口と玉箱の排出口を開放したときの説明図である。
【図６】玉箱シャッタの動作を示す説明図であり、（Ａ）は排出口封止時、（Ｂ）は排出口開放時の説明図である。
【図７】パチンコ島の構成を示す説明図である。
【符号の説明】
１  膳台
３  パチンコ機
５  天板
７  回収口
８  下皿
９  膳台シャッタ
１１  水平部
１３  傾斜部
１５  組付用側版
１７  摺動組付突起
１９  丸穴
２１  長穴
２３  膳台シャッタ取付部材
２５  水平摺動ガイド溝
２７  係合突起出没穴
２９  レバー部材
３１  玉箱シャッタ開閉手段
３３  摺動組付突起
３５  屈曲摺動ガイド溝
３７  係合突起
３９  計数手段
４１  固定突起
４３  玉箱固定穴
６１  箱体
６３  底板
６５  底面
６７  排出口
６９  把手
７１  シャッタガイド部材
７３  玉箱シャッタ
７３ａ  本体部
７３ｂ  開閉用突起
７３ｃ  突出部
７５  シャッタ取付部材
７７  ねじ
７９  枠体
８１  シャッタ開口
８３  開口
８５  コイルスプリング
９９  パチンコ玉
１００  玉箱
２００  パチンコ島
【図１】
0003959550.tif 000002
【図２】
0003959550.tif 000003
【図３】
0003959550.tif 000004
【図４】
0003959550.tif 000005
【図５】
0003959550.tif 000006
【図６】
0003959550.tif 000007
【図７】
0003959550.tif 000008